(57)【要約】【課題】正確な暗証情報を入力することができるとともに、当該暗証情報を簡易に且つ安全に管理することができるＩＤカード作成システムを提供する。【解決手段】申請者からの申請書の提出によってＩＤカードの発行申請を受け付ける受付装置１を備えるＩＤカード作成システムＡにおいて、受付装置１は、申請者が申請者の暗証番号情報を入力する暗証番号入力部１５と、暗証番号入力部１５により入力された暗証番号を、当該申請書に出力する暗証番号プリント部１６と、を備えるよう構成した。【選択図】図２
2007313676.tif 000002
【特許請求の範囲】
【請求項１】
申請者からの申請書の提出によってＩＤカードの発行申請を受け付ける受付装置を備えるＩＤカード作成システムにおいて、
前記受付装置は、
前記申請者が暗証情報を入力する入力手段と、
前記入力手段により入力された暗証情報を、前記申請書に出力する出力手段と、
を備えることを特徴とするＩＤカード作成システム。
【請求項２】
請求項１に記載のＩＤカード作成システムにおいて、
前記申請者の顔を撮影して顔画像情報を取得する撮影装置を備え、
前記撮影装置は、
前記出力手段により暗証情報が出力された申請書から、当該暗証情報を読み取る暗証情報読取手段を備えることを特徴とするＩＤカード作成システム。
【請求項３】
請求項２に記載のＩＤカード作成システムにおいて、
前記申請者の個人情報を記憶する個人情報記憶手段と、
前記暗証情報読取手段により読み取られた暗証情報と前記個人情報記憶手段に記憶された個人情報とを記憶する記憶媒体を有し、且つ、当該個人情報の一部と前記撮影装置により取得された顔画像情報とが表面に出力されたＩＤカードを作成する作成装置と、
を備えることを特徴とするＩＤカード作成システム。
【請求項４】
請求項２又は３に記載のＩＤカード作成システムにおいて、
前記撮影装置は、
前記暗証情報読取手段により暗証情報が読み取られた申請書中の暗証情報部分を削除することによって、或いは、当該暗証情報部分に所定のマスキング処理を施すことによって、当該暗証情報の読み取りを不可能にする読取不可能処理手段と、
前記読取不可能処理手段により暗証情報の読み取りが不可能とされた申請書から、当該申請書画像情報を読み取る申請書画像情報読取手段と、
を備え、
前記申請書画像情報読取手段により読み取られた申請書画像情報を記憶する申請書画像情報記憶手段を備えることを特徴とするＩＤカード作成システム。
【請求項５】
請求項４に記載のＩＤカード作成システムにおいて、
前記撮影装置は、
前記個人情報記憶手段に記憶された個人情報のうち、前記作成装置により作成されるＩＤカードの表面に出力されない個人情報を、プリント出力するプリント出力手段と、
を備えることを特徴とするＩＤカード作成システム。
【発明の詳細な説明】
【技術分野】
【０００１】
本発明は、ＩＤカード作成システムに関する。
【背景技術】
【０００２】
従来、申請者からの発行申請に応じて運転免許証等のＩＤカードを作成するＩＤカード作成システム（ＩＤカード作成・管理システム）が知られている（例えば、特許文献１参照）。
具体的には、ＩＤカード作成システムは、例えば、申請者からの申請書等の提出によってＩＤカードの発行申請を受け付ける受付装置と、当該申請者の顔を撮影して顔画像情報を取得する撮影装置と、当該申請者の個人情報を記憶する個人情報データベースと、個人情報データベースに記憶された個人情報を含むＩＤカード情報を記憶するＩＣチップ等の記憶媒体を有し、且つ、当該個人情報の一部と撮影装置により取得された顔画像情報とが表面（券面）に出力されたＩＤカードを作成する作成装置と、を備えて構成される。
【０００３】
ここで、ＩＤカードが有するＩＣチップ等に記憶されるＩＤカード情報には、例えば、当該ＩＤカード情報の読み出し／書き込みのアクセス制限を行う、暗証番号も含まれている。
従来、暗証番号は、例えば、ＩＤカード作成システム中の入力手段を用いて申請者やオペレータにより入力されると、所定の用紙に印字されるようになっている。そして、この暗証番号が印字された用紙は、例えば、ＩＤカードの発行申請時に、申請者により申請書とともに提出されるようになっている。
【特許文献１】特開平７−８９２７２号公報
【発明の開示】
【発明が解決しようとする課題】
【０００４】
しかしながら、申請書と暗証番号が印字された用紙とが別々だと、ユーザにとって煩わしいという問題や、当該用紙を紛失し易くなるという問題が生じる。
また、オペレータが暗証番号を入力すると、誤った暗証番号が入力される可能性が高くなるという問題や、第三者（オペレータ）が暗証番号を知得できてしまうという問題が生じる。
【０００５】
本発明の課題は、正確な暗証情報を入力することができるとともに、当該暗証情報を簡易に且つ安全に管理することができるＩＤカード作成システムを提供することにある。
【課題を解決するための手段】
【０００６】
上記課題を解決するために、請求項１に記載の発明は、
申請者からの申請書の提出によってＩＤカードの発行申請を受け付ける受付装置を備えるＩＤカード作成システムにおいて、
前記受付装置は、
前記申請者が暗証情報を入力する入力手段と、
前記入力手段により入力された暗証情報を、前記申請書に出力する出力手段と、
を備えることを特徴とする。
【０００７】
請求項２に記載の発明は、
請求項１に記載のＩＤカード作成システムにおいて、
前記申請者の顔を撮影して顔画像情報を取得する撮影装置を備え、
前記撮影装置は、
前記出力手段により暗証情報が出力された申請書から、当該暗証情報を読み取る暗証情報読取手段を備えることを特徴とする。
【０００８】
請求項３に記載の発明は、
請求項２に記載のＩＤカード作成システムにおいて、
前記申請者の個人情報を記憶する個人情報記憶手段と、
前記暗証情報読取手段により読み取られた暗証情報と前記個人情報記憶手段に記憶された個人情報とを記憶する記憶媒体を有し、且つ、当該個人情報の一部と前記撮影装置により取得された顔画像情報とが表面に出力されたＩＤカードを作成する作成装置と、
を備えることを特徴とする。
【０００９】
請求項４に記載の発明は、
請求項２又は３に記載のＩＤカード作成システムにおいて、
前記撮影装置は、
前記暗証情報読取手段により暗証情報が読み取られた申請書中の暗証情報部分を削除することによって、或いは、当該暗証情報部分に所定のマスキング処理を施すことによって、当該暗証情報の読み取りを不可能にする読取不可能処理手段と、
前記読取不可能処理手段により暗証情報の読み取りが不可能とされた申請書から、当該申請書画像情報を読み取る申請書画像情報読取手段と、
を備え、
前記申請書画像情報読取手段により読み取られた申請書画像情報を記憶する申請書画像情報記憶手段を備えることを特徴とする。
【００１０】
請求項５に記載の発明は、
請求項４に記載のＩＤカード作成システムにおいて、
前記撮影装置は、
前記個人情報記憶手段に記憶された個人情報のうち、前記作成装置により作成されるＩＤカードの表面に出力されない個人情報を、プリント出力するプリント出力手段と、
を備えることを特徴とする。
【発明の効果】
【００１１】
請求項１に記載の発明によれば、申請者が暗証情報を入力することができ、さらに、申請書に暗証情報をプリント出力することができる。したがって、従来のような問題、すなわち、オペレータが暗証情報を入力することにより生じる問題や、申請書と暗証情報が印字された用紙とが別々であるために生じる問題が生じないため、正確な暗証情報を入力することができるとともに、当該暗証情報を簡易に且つ安全に管理することができる。
【００１２】
請求項２に記載の発明によれば、請求項１に記載の発明と同様の効果が得られることは無論のこと、申請書に出力された暗証情報が、自動的に読み取られる。したがって、例えば、従来は受付装置と撮影装置の両方において申請者に暗証情報を入力させる必要があったが、その必要がないため、ＩＤカードの作成時間を短縮できる。
【００１３】
請求項３に記載の発明によれば、請求項２に記載の発明と同様の効果が得られることは無論のこと、暗証情報や個人情報を備えたＩＤカードを作成することができる。
【００１４】
請求項４に記載の発明によれば、請求項２又は３に記載の発明と同様の効果が得られることは無論のこと、ＩＤカードの作成工程で暗証情報が不要になると、申請書からも申請書画像情報からも、暗証情報を知得することができなくなる。したがって、例えば、ＩＤカードの作成後に、申請書や申請書画像情報が保存等されても、当該申請書や申請書画像情報からは暗証情報が漏洩することがないため、暗証情報を高いセキュリティー下で管理することができる。
【００１５】
請求項５に記載の発明によれば、請求項４に記載の発明と同様の効果が得られることは無論のこと、作成されるＩＤカードが有する記憶媒体には記憶されるが当該ＩＤカードの表面には出力されない個人情報、すなわち、ＩＤカードにおいて記憶媒体のみに出力される個人情報を目視によって確認することができるため、正確なＩＤカードを作成することができる。また、作成装置によりＩＤカードが作成される前に、当該確認をすることができるため、ＩＤカードの作成し直し等を防止することができることとなって、省資源化等を図ることができる。
【発明を実施するための最良の形態】
【００１６】
以下、図を参照して、本発明にかかるＩＤカード作成システムＡの最良の形態を詳細に説明する。なお、発明の範囲は、図示例に限定されない。
本実施の形態では、例えば、ＩＤカード作成システムＡにより、申請者からのＩＤカードの更新発行申請に応じてＩＤカードを作成する形態を例示して説明することとする。
【００１７】
＜ＩＤカード作成システムの構成＞
まず、ＩＤカード作成システムＡの構成について、図１〜４を参照して説明する。
ＩＤカード作成システム１は、例えば、図１に示すように、申請者からの申請書等の提出によってＩＤカードの更新発行申請を受け付ける受付装置１と、当該申請者の顔を撮影する撮影装置３と、受付装置１により受け付けられた申請者からのＩＤカードの更新発行申請に従って当該申請者のＩＤカードを作成する作成装置５と、ネットワークＮを介して、受付装置１と撮影装置３と作成装置５とに接続されるサーバ装置７と、などを備えて構成される。
【００１８】
ネットワークＮは、例えば、専用線により構築された通信ネットワークであり、ＬＡＮ（Local Area Network）やＷＡＮ（Wide Area Network）などの回線形態を適用することが可能である。
【００１９】
申請者から提出された申請書には、例えば、申請者の個人情報（ＩＤ番号、住所、氏名、国籍・本籍、生年月日など）等が記入されている。
また、申請書には、例えば、暗証情報としての暗証番号がプリント出力される「暗証番号プリント欄」が設けられている。
【００２０】
（サーバ装置）
サーバ装置７は、例えば、図１に示すように、個人情報データベース８１と、申請書画像情報データベース８２と、などを有する記憶装置８と接続している。
【００２１】
個人情報データベース８１は、例えば、個人情報記憶手段として、申請者の個人情報を記憶している。
【００２２】
申請書画像情報データベース８２は、例えば、申請書画像情報記憶手段として、撮影装置３の申請書画像情報読取部３６（後述）により読み取られた申請書画像情報を記憶している。
【００２３】
（受付装置）
受付装置１は、例えば、申請者からの申請書や更新前のＩＤカード（以下、「旧ＩＤカード」という）の提出によって、ＩＤカードの更新発行申請を受け付ける装置である。
具体的には、受付装置１は、例えば、図２に示すように、券面情報読取部１１と、個人情報読取部１２と、表示部１３と、第１入力部１４と、暗証番号入力部１５と、暗証番号プリント部１６と、制御部１７と、などを備えて構成される。
【００２４】
券面情報読取部１１は、例えば、申請者により提出された旧ＩＤカードの表面（券面）から、券面情報を読み取って、制御部１７に出力する。
ここで、券面情報とは、例えば、個人情報のうちの一部の情報であり、ＩＤカードの表面（券面）に出力された情報である。
券面情報読取部１１としては、例えば、スキャナや光学式文字読取装置（ＯＣＲ装置）などが適用可能である。
【００２５】
個人情報読取部１２は、例えば、申請者により提出された旧ＩＤカードが有する記憶媒体としてのＩＣチップや磁気テープなど（以下、「ＩＣチップ等」という）から、当該ＩＣチップ等に記憶された個人情報等を読み出して、制御部１７に出力する。
個人情報読取部１２としては、例えば、リーダ／ライタユニット（Ｒ／Ｗユニット）や磁気読取装置などが適用可能である。
【００２６】
表示部１３は、例えば、ＬＣＤ（Liquid Crystal Display）パネル等から構成され、制御部１７から入力される表示信号に従って所与の表示処理を行う。
【００２７】
第１入力部１４は、例えば、カーソルキー、文字／数字キー、各種機能キーなどから構成され、オペレータのキー操作に伴う押下信号を、制御部１７に出力する。
具体的には、第１入力部１４は、例えば、記憶装置８が有する個人情報データベース８１に記憶された個人情報を更新するために、オペレータが申請書に記入された個人情報等を入力する際に操作される。
【００２８】
暗証番号入力部１５は、例えば、テンキー等から構成され、申請者のキー操作に伴う押下信号を、制御部１７に出力する。
具体的には、暗証番号入力部１５は、例えば、入力手段として、申請者が申請者の暗証番号（例えば、４桁の数字）を入力する際に操作される。
【００２９】
暗証番号プリント部１６は、例えば、出力手段として、制御部１７から入力される制御信号に従って、暗証番号入力部１５により入力された暗証番号を、申請者により提出された申請書の「暗証番号プリント欄」にプリント出力する。
ここで、「暗証番号プリント欄」にプリント出力される暗証番号は、例えば、暗証番号そのままであってもよいし、或いは、暗号化された暗証番号（例えば、バーコード化された暗証番号）であってもよい。
【００３０】
制御部１７は、例えば、図２に示すように、ＣＰＵ（Central Processing Unit）１７１と、ＲＡＭ（Random Access Memory）１７２と、ＲＯＭ（Read Only Memory）１７３と、などを備えている。
【００３１】
ＣＰＵ１７１は、ＲＯＭ１７３に記憶された受付装置１用の各種処理プログラムに従って各種の制御動作を行う。
【００３２】
ＲＡＭ１７２は、ＣＰＵ１７１によって実行される処理プログラムなどを展開するためのプログラム格納領域や、入力データや上記処理プログラムが実行される際に生じる処理結果などを格納するデータ格納領域などを備える。
【００３３】
ＲＯＭ１７３は、受付装置１で実行可能なシステムプログラム、当該システムプログラムで実行可能な各種処理プログラム、これら各種処理プログラムを実行する際に使用されるデータ、ＣＰＵ１７１によって演算処理された処理結果のデータなどを記憶する。なお、プログラムは、コンピュータが読み取り可能なプログラムコードの形でＲＯＭ１７３に記憶されている。
【００３４】
（撮影装置）
撮影装置３は、例えば、ＩＤカードの更新発行申請を行った申請者の顔を撮影して顔画像情報を取得する装置である。
具体的には、撮影装置３は、例えば、図３に示すように、ＩＤ番号読取部３１と、暗証番号読取部３２と、撮影部３３と、確認用情報プリント部３４と、第２入力部３５と、申請書画像情報読取部３６と、制御部３７と、などを備えて構成される。
【００３５】
ＩＤ番号読取部３１は、例えば、受付装置３の暗証番号プリント部１６により暗証番号がプリント出力された申請書から、ＩＤ番号を読み取って、制御部３７に出力する。
ＩＤ番号読取部３１としては、例えば、スキャナやＯＣＲ装置などが適用可能である。
【００３６】
暗証番号読取部３２は、例えば、暗証情報読取手段として、受付装置１の暗証番号プリント部１６により暗証番号がプリント出力された申請書の「暗証番号プリント欄」から、当該暗証番号を読み取って、制御部３７に出力する。
暗証番号読取部３２としては、例えば、スキャナやＯＣＲ装置、バーコードリーダなどが適用可能である。
【００３７】
撮影部３３は、例えば、制御部３７から入力される制御信号に従って、申請者の顔を撮影し、所定の処理を施して当該顔画像情報を生成し、そして、制御部３７に出力する。
【００３８】
確認用情報プリント部３４は、例えば、プリント出力手段として、確認用情報を、所定の用紙にプリント出力する。
ここで、確認用情報とは、例えば、記憶装置８の個人情報データベース８１に記憶された個人情報のうち、作成装置５により作成されるＩＤカードの表面（券面）に出力されない個人情報、すなわち、ＩＤカードが有するＩＣチップ等には記憶されるが、ＩＤカードの表面（券面）には出力されない個人情報（例えば、申請者の国籍・本籍等）である。
【００３９】
第２入力部３５は、例えば、カーソルキー、文字／数字キー、各種機能キーなどから構成され、オペレータや申請者のキー操作に伴う押下信号を、制御部３７に出力する。
具体的には、第２入力部３５は、例えば、確認用情報プリント部３４によりプリント出力された確認用情報を確認した申請者が、当該確認用情報が正しいか、或いは、正しくないかを入力する際に操作される。
【００４０】
申請書画像情報読取部３６は、例えば、申請書画像情報読取手段として、読取不可能処理プログラム３７３１を実行したＣＰＵ３７１（後述）により暗証番号の読み取りが不可能とされた申請書から、申請書画像情報を読み取って、制御部３７に出力する。そして、当該申請書画像情報は、制御部３７により、ネットワークＮを介して、サーバ装置７に転送されて、記憶装置８が有する申請書画像情報データベース８２に記憶される。
申請書画像情報読取部３６としては、例えば、スキャナ等が適用可能である。
【００４１】
制御部３７は、例えば、図３に示すように、ＣＰＵ３７１と、ＲＡＭ３７２と、ＲＯＭ３７３と、などを備えている。
【００４２】
ＣＰＵ３７１は、ＲＯＭ３７３に記憶された撮影装置３用の各種処理プログラムに従って各種の制御動作を行う。
【００４３】
ＲＡＭ３７２は、ＣＰＵ３７１によって実行される処理プログラムなどを展開するためのプログラム格納領域や、入力データや上記処理プログラムが実行される際に生じる処理結果などを格納するデータ格納領域などを備える。
【００４４】
ＲＯＭ３７３は、撮影装置３で実行可能なシステムプログラム、当該システムプログラムで実行可能な各種処理プログラム、これら各種処理プログラムを実行する際に使用されるデータ、ＣＰＵ３７１によって演算処理された処理結果のデータなどを記憶する。なお、プログラムは、コンピュータが読み取り可能なプログラムコードの形でＲＯＭ３７３に記憶されている。
具体的には、ＲＯＭ３７３は、例えば、図３に示すように、読取不可能処理プログラム３７３１と、取得・転送プログラム３７３２と、などを記憶している。
【００４５】
読取不可能処理プログラム３７３１は、例えば、暗証番号読取部３２により暗証番号が読み取られた申請書中の暗証番号部分に所定のマスキング処理を施すことによって、当該暗証番号の読み取りを不可能にする機能を、ＣＰＵ３７１に実現させる。
ここで、所定のマスキング処理とは、例えば、暗証番号を塗りつぶす等の処理である。
ＣＰＵ３７１は、かかる読取不可能処理プログラム３７３１を実行することによって、読取不可能処理手段として機能する。
【００４６】
取得・転送プログラム３７３２は、例えば、ＩＤ番号読取部３１により読み取られたＩＤ番号を含む個人情報を、ネットワークＮ及びサーバ装置７を介して、記憶装置８が有する個人情報データベース８１から取得するとともに、当該取得した個人情報と、暗証番号読取部３２により読み取られた暗証番号と、撮影部３３により生成された顔画像情報となどを、ネットワークＮを介して、作成装置５に転送する機能を、ＣＰＵ３７１に実現させる。
【００４７】
（作成装置）
作成装置５は、例えば、撮影装置３の暗証番号読取部３２により読み取られた暗証番号や記憶装置８が有する個人情報データベース８１に記憶された個人情報を記憶するＩＣチップ等を有し、且つ、当該個人情報の一部や撮影装置３により取得された顔画像情報が表面（券面）に出力されたＩＤカードを作成する装置である。
具体的には、作成装置５は、例えば、図４に示すように、ＩＤカード作成部５１と、制御部５２と、などを備えて構成される。
【００４８】
ＩＤカード作成部５１は、例えば、制御部５２から入力される制御信号に従って、暗証番号読取部３２により読み取られた暗証番号や個人情報データベース８１に記憶された個人情報などを記憶するＩＣチップ等を有し、且つ、個人情報データベース８１に記憶された個人情報の一部や撮影部３３により生成された顔画像情報などが表面（券面）に出力されたＩＤカードを作成する。
具体的には、ＩＤカード作成部５１は、例えば、Ｒ／Ｗユニットや磁気書込装置などから構成され、撮影装置３から転送された暗証番号や個人情報などを、ＩＤカードに組み込まれたＩＣチップや磁気テープなどに記憶させる。
さらに、ＩＤカード作成部５１は、例えば、撮影装置３から転送された個人情報の一部や顔画像情報などを、ＩＤカードの表面にプリント出力する。
【００４９】
制御部５２は、例えば、図４に示すように、ＣＰＵ５２１と、ＲＡＭ５２２と、ＲＯＭ５２３と、などを備えている。
【００５０】
ＣＰＵ５２１は、ＲＯＭ５２３に記憶された作成装置５用の各種処理プログラムに従って各種の制御動作を行う。
【００５１】
ＲＡＭ５２２は、ＣＰＵ５２１によって実行される処理プログラムなどを展開するためのプログラム格納領域や、入力データや上記処理プログラムが実行される際に生じる処理結果などを格納するデータ格納領域などを備える。
【００５２】
ＲＯＭ５２３は、作成装置５で実行可能なシステムプログラム、当該システムプログラムで実行可能な各種処理プログラム、これら各種処理プログラムを実行する際に使用されるデータ、ＣＰＵ５２１によって演算処理された処理結果のデータなどを記憶する。なお、プログラムは、コンピュータが読み取り可能なプログラムコードの形でＲＯＭ５２３に記憶されている。
【００５３】
＜ＩＤカード作成処理＞
次に、ＩＤカード作成システムＡによるＩＤカードの作成に関する処理について、図５及び６のフローチャートを参照して説明する。
ここで、実線で囲んだ処理は、ＩＤカード作成システムＡを構成する各装置が実行する処理であり、破線で囲んだ処理は、当該各装置のオペレータや申請者が実行する処理である。
【００５４】
まず、受付装置１において、申請者から申請書や旧ＩＤカードが提出されて、券面情報読取部１１が、当該提出された旧ＩＤカードの表面（券面）から券面情報を読み取り（ステップＳ１１）、個人情報読取部１２が、当該提出された旧ＩＤカードが有するＩＣチップ等から個人情報等を読み取ると（ステップＳ１２）、受付装置１のＣＰＵ１７１は、ステップＳ１１で読み取られた券面情報や、ステップＳ１２で読み取られた個人情報等を、表示部１３に表示させる（ステップＳ１３）。
【００５５】
次いで、受付装置１のオペレータが、ステップＳ１３で表示部１３に表示された券面情報や個人情報等と、申請書に記入された個人情報等とを比較して、申請者の個人情報等の確認を行う（ステップＳ１４）。
そして、表示部１３に表示された券面情報や個人情報等と、申請書に記入された個人情報等が一致しない場合には、例えば、記憶装置８が有する個人情報データベース８１の内容が、オペレータによる第１入力部１４の操作によって申請書に記入された内容と一致するように、更新される。
【００５６】
次いで、申請者による暗証番号入力部１５の操作によって、暗証番号が入力されると（ステップＳ１５）、ＣＰＵ１７１は、暗証番号プリント部１６に制御信号を入力して、ステップＳ１５で入力された暗証番号を、申請書の「暗証番号プリント欄」にプリント出力させる（ステップＳ１６）。
【００５７】
次いで、撮影装置３において、ステップＳ１６で暗証番号がプリント出力された申請書が受け付けられ、ＩＤ番号読取部３１が、当該受け付けられた申請書からＩＤ番号を読み取り（ステップＳ１７）、暗証番号読取部３２が、当該受け付けられた申請書から暗証番号を読み取り（ステップＳ１８）、撮影部３３により申請者の顔が撮影されて顔画像情報が生成されると（ステップＳ１９）、ＣＰＵ３７１は、取得・転送プログラム３７３２を実行して、ステップＳ１７で読み取られたＩＤ番号を含む個人情報を、記憶装置８が有する個人情報データベース８１から取得する（ステップＳ２０）。
【００５８】
次いで、ＣＰＵ３７１は、確認用情報プリント部３４に制御信号を入力して、ステップＳ２０で取得された個人情報のうちの確認用情報を、プリント出力させる（ステップＳ２１）。
【００５９】
次いで、申請者が、ステップＳ２１でプリント出力された確認用情報を確認する（ステップＳ２２）。
【００６０】
次いで、ＣＰＵ３７１は、ステップＳ２２で確認用情報を確認した申請者による第２入力部３５の操作によって、確認用情報が正しいと入力されたか、或いは、正しくないと入力されたかを判断する（ステップＳ２３）。
【００６１】
ステップＳ２３で、申請者による第２入力部３５の操作によって、確認用情報が正しくないと入力されたと判断すると（ステップＳ２３；Ｎｏ）、ＣＰＵ３７１は、本処理を終了する。
そして、申請者は、再度、受付装置１（受付装置１のオペレータ）に申請書と旧ＩＤカードを提出し、ＩＤカード作成システムＡは、再度、ステップＳ１１以降の処理を実行する。
【００６２】
一方、ステップＳ２３で、申請者による第２入力部３５の操作によって、確認用情報が正しいと入力されたと判断すると（ステップＳ２３；Ｙｅｓ）、ＣＰＵ３７１は、読取不可能処理プログラム３７３１を実行して、申請書中の暗証番号部分に所定のマスキング処理を施す（ステップＳ２４）。
【００６３】
次いで、申請書画像情報読取部３６が、申請書から、申請書画像情報を読み取ると（ステップＳ２４）、ＣＰＵ３７１は、ステップＳ２５で読み取られた申請書画像情報を、サーバ装置７に転送し、記憶装置８が有する申請書画像情報データベース８２に記憶させる（ステップＳ２６）。
【００６４】
次いで、ＣＰＵ３７１は、取得・転送プログラム３７３２を実行して、ステップＳ２０で取得された個人情報と、ステップＳ１８で読み取られた暗証番号と、ステップＳ１９で生成された顔画像情報となどを、作成装置５に転送する（ステップＳ２７）。
【００６５】
次いで、作成装置５において、ステップＳ２７で撮影装置３から転送された個人情報と、暗証番号と、顔画像情報となどが受信されると、作成装置５のＣＰＵ５２１は、ＩＤカード作成部５１に制御信号を入力して、当該受信された暗証番号や個人情報などを記憶するＩＣチップ等を有し、且つ、当該受信された個人情報の一部や顔画像情報などが表面（券面）に出力されたＩＤカードを作成させ（ステップＳ２８）、本処理を終了する。
【００６６】
以上説明した本発明におけるＩＤカード作成システムＡによれば、申請者からの申請書や旧ＩＤカードの提出によってＩＤカードの発行申請（更新発行申請）を受け付ける受付装置１を備え、受付装置１は、暗証番号入力部１５によって、申請者が申請者の暗証番号を入力することができ、暗証番号プリント部１６によって、暗証番号入力部１５により入力された暗証番号を、申請者により提出された申請書にプリント出力することができる。
すなわち、申請者が暗証番号を入力することができ、さらに、申請書に暗証番号をプリント出力することができる。したがって、従来のような問題（すなわち、オペレータが暗証番号を入力することにより生じる問題や、申請書と暗証番号が印字された用紙とが別々であるために生じる問題）が生じないため、正確な暗証番号を入力することができるとともに、当該暗証番号を簡易に且つ安全に管理することができる。
【００６７】
また、ＩＤカード作成システムＡによれば、申請者の顔を撮影して顔画像情報を取得する撮影装置３を備え、撮影装置３は、暗証番号読取部３２によって、申請書の「暗証番号プリント欄」から、受付装置１の暗証番号プリント部１６によりプリント出力された暗証番号を読み取ることができる。
すなわち、申請書にプリント出力された暗証番号が、自動的に読み取られる。したがって、例えば、従来は受付装置１と撮影装置３の両方において申請者に暗証番号を入力させる必要があったが、その必要がないため、ＩＤカードの作成時間を短縮できる。
【００６８】
また、ＩＤカード作成システムＡによれば、個人情報データベース８１によって、申請者の個人情報を記憶することができ、作成装置５によって、撮影装置３の暗証番号読取部３２により読み取られた暗証番号や個人情報データベース８１に記憶された個人情報を記憶するＩＣチップ等の記憶媒体を有し、且つ、当該個人情報の一部や撮影装置３により取得された（撮影部３３により生成された）顔画像情報が表面（券面）に出力されたＩＤカードを作成することができる。
【００６９】
また、撮影装置３は、読取不可能処理プログラム３７３１を実行したＣＰＵ３７１によって、暗証番号読取部３２により暗証番号が読み取られた申請書中の暗証番号部分に所定のマスキング処理を施すことによって、当該暗証番号の読み取りを不可能にすることができ、申請書画像情報読取部３６によって、読取不可能処理プログラム３７３１を実行したＣＰＵ３７１により暗証番号の読み取りが不可能とされた申請書から、当該申請書画像情報を読み取ることができ、申請書画像情報データベース８２によって、申請書画像情報読取部３６により読み取られた申請書画像情報を記憶することができる。
すなわち、ＩＤカードの作成工程で暗証番号が不要になると、申請書からも申請書画像情報からも、暗証番号を知得することができなくなる。したがって、例えば、ＩＤカードの作成後に、申請書や申請書画像情報が保存等されても、当該申請書や申請書画像情報からは暗証番号が漏洩することがないため、暗証番号を高いセキュリティー下で管理することができる。
【００７０】
また、撮影装置３は、確認用情報プリント部３４によって、個人情報データベース８１に記憶された個人情報のうち、作成装置５により作成されるＩＤカードの表面（券面）に出力されない個人情報を、所定の用紙にプリント出力することができる。
すなわち、作成されるＩＤカードが有するＩＣチップ等の記憶媒体には記憶されるが、当該ＩＤカードの表面（券面）には出力されない個人情報（すなわち、ＩＤカードにおいてＩＣチップ等のみに出力される個人情報）を目視によって確認することができるため、正確なＩＤカードが作成することができる。また、作成装置３によりＩＤカードが作成される前に、当該確認をすることができるため、ＩＤカードの作成し直し等を防止することができることとなって、省資源化等を図ることができる。
【００７１】
なお、本発明は、上記した実施の形態のものに限るものではなく、その要旨を逸脱しない範囲で適宜変更可能である。
例えば、暗証番号読取部３２により暗証番号が読み取られた申請書中の暗証番号部分に所定のマスキング処理を施すことによって、当該申請書からの当該暗証番号の読み取りを不可能にするようにしたが、例えば、当該申請書中の暗証番号部分を切断等して削除することによって、当該申請書からの当該暗証番号の読み取りを不可能にするようにしてもよい。
【００７２】
また、申請書からの暗証番号の読み取りが不可能とされた後に、申請書画像情報を読み取るようにしたが、例えば、逆に、申請書画像情報を読み取った後に、申請書からの暗証番号の読み取りが不可能とされるようにしてもよい。この場合、読み取られた申請書画像情報中の暗証番号部分を削除することによって、或いは、当該暗証番号部分に所定のマスキング処理を施すことによって、読み取られた申請画像情報からの暗証番号の読み取りを不可能にする必要がある。
【００７３】
暗証番号入力部１５が、暗証番号を申請書の「暗証番号プリント欄」にプリント出力するようにしたが、例えば、申請者が、暗証番号を申請書の「暗証番号プリント欄」に手で記入するようにしてもよい。
【００７４】
撮影装置３に、例えば、申請者により操作が可能なテンキー等から構成される番号入力部を備え、ＩＤ番号読取部３１によるＩＤ番号の読み取りや暗証番号読取部３２による暗証番号の読み取りに失敗した場合に、申請者に、当該番号入力部を操作させて、ＩＤ番号や暗証番号を入力させるようにしてもよい。
【００７５】
本実施の形態では、ＩＤカードの更新発行申請に応じてＩＤカードを作成するようにしたが、例えば、ＩＤカードの新規発行申請に応じてＩＤカードを作成するようにしてもよい。
【図面の簡単な説明】
【００７６】
【図１】本発明におけるＩＤカード作成システムの構成を示すブロック図である。
【図２】図１に示す受付装置の機能的構成を示すブロック図である。
【図３】図１に示す撮影装置の機能的構成を示すブロック図である。
【図４】図１に示す作成装置の機能的構成を示すブロック図である。
【図５】本発明におけるＩＤカード作成システムによるＩＤカードの作成に関する第１処理を説明するためのフローチャートである。
【図６】本発明におけるＩＤカード作成システムによるＩＤカードの作成に関する第２処理を説明するためのフローチャートである。
【符号の説明】
【００７７】
１  受付装置
３  撮影装置
５  作成装置
１５  暗証番号入力部（入力手段）
１６  暗証番号プリント部（出力手段）
３２  暗証番号読取部（暗証情報読取手段）
３４  確認用情報プリント部（プリント出力手段）
３６  申請書画像情報読取部（申請書画像情報読取手段）
８１  個人情報データベース（個人情報記憶手段）
８２  申請書画像情報データベース（申請書画像情報記憶手段）
３７１  ＣＰＵ（読取不可能処理手段）
３７３１  読取不可能処理プログラム（読取不可能処理手段）
Ａ  ＩＤカード作成システム
【図１】
2007313676.tif 000003
【図２】
2007313676.tif 000004
【図３】
2007313676.tif 000005
【図４】
2007313676.tif 000006
【図５】
2007313676.tif 000007
【図６】
2007313676.tif 000008